(57)【要約】【課題】  筐体内に配置される撮像部の撮像方向が筐体の厚さ方向を向くような構造でも、この撮像部の撮像方向の長さ寸法が筐体の厚さに制限されないようにすることができる撮像機能付き重ね型携帯端末装置を提供する。【解決手段】  表示部３４を有する第１筐体３２と、主操作部３８と撮像部６２を有する第２筐体３６と、第２筐体の主操作部が配置される主操作面に垂直な軸線を有して第１筐体と第２筐体の互いの端部を回動可能に連結する連結部４２とを備え、撮像部が、その撮像方向を連結部の軸線方向と略平行となるように、第２筐体の内部であって連結部の近傍に配置される撮像機能付き重ね型携帯端末装置６０であって、主操作面における撮像部を略中心とする所定の範囲に第２筐体の内部と一体的な空間を有して突出する収納部６４が形成されて、第１筐体に収納部に対応する切欠き部６８が形成されるようにした。【選択図】      図１
2005159723.tif 000002
【特許請求の範囲】
【請求項１】
表示部を有する第１筐体と、主操作部と撮像部を有する第２筐体と、第２筐体の主操作部が配置される主操作面に垂直な軸線を有して第１筐体と第２筐体の互いの長さ方向の端部を回動可能に連結する連結部とを備え、
前記撮像部が、その撮像方向を前記連結部の軸線方向と略平行となるように、前記第２筐体の内部であって連結部の近傍に配置される撮像機能付き重ね型携帯端末装置であって、
前記主操作面における前記撮像部を略中心とする所定の範囲に前記第２筐体の内部と一体的な空間を有して突出する収納部が形成されて、
前記第１筐体に前記収納部に対応する切欠き部が形成されていることを特徴とする撮像機能付き携帯端末装置。
【請求項２】
前記収納部が前記連結部と前記第２筐体の幅方向に並んで配置され、
前記連結部が第２筐体の幅方向の中央の位置よりも前記収納部と離れる方向にずらして配置される請求項１に記載の撮像機能付き携帯端末装置。
【請求項３】
前記撮像部におけるその撮像方向の長さが、前記第２筐体の厚さよりも長くて、前記収納部の主操作面からの突出高さと前記第２筐体の厚さの合計の長さよりも短くなっている請求項１又は請求項２に記載の撮像機能付き携帯端末装置。
【請求項４】
前記収納部が、前記第１筐体の前記表示面の高さまで突出する請求項１ないし請求項３のいずれかに記載の撮像機能付き携帯端末装置。
【請求項５】
前記収納部は側面を有して、この側面に前記撮像部を操作するための副操作部を配置した請求項１ないし請求項４のいずれかに記載の撮像機能付き携帯端末装置。
【請求項６】
第２筐体におけるその長さ方向に平行であって主操作面と互いに隣り合う側面に前記撮像部を操作するための副操作部を配置した請求項１ないし請求項５のいずれかに記載の撮像機能付き携帯端末装置。
【請求項７】
表示部を有する第１筐体と、主操作部を有する第２筐体と、第２筐体の主操作部が配置される主操作面に垂直な軸線を有して第１筐体と第２筐体の互いの長さ方向の端部を回動可能に連結する連結部とを備える撮像機能付き重ね型携帯端末装置であって、
閉状態のときにおける前記連結部の軸線方向の外形寸法が、前記第１筐体の厚さ、前記第２筐体の厚さ、及びこの第１筐体と第２筐体の間のすきまの長さの合計とほぼ同じ大きさで形成されて、連結部に対して第２筐体の幅方向に並んで配置される第３筐体を備えると共に、
前記第１筐体及び前記第２筐体のそれぞれに前記第３筐体に対応する形状の切欠き部が形成されて、
前記第３筐体が、前記第２筐体の切欠き部からこの第２筐体の幅方向に突出して、前記第１筐体と第２筐体の互いの回動動作に連動しておよそ１８０°回動する回動軸に固定されると共に、撮像方向がこの回動軸と直角の撮像部を有していることを特徴とする撮像機能付き携帯端末装置。
【発明の詳細な説明】
【技術分野】
【０００１】
本発明は、２つの筐体が重ね合わせ可能に互いに連結されて、一方の筐体に備えられた撮像部の撮像方向が、この筐体の厚さ方向に向くように配置されている撮像機能付き重ね型携帯端末装置に関するものである。
【背景技術】
【０００２】
従来において、図６に示すように、第１筐体１と第２筐体２を備えて、これらが互いに折り畳み自在に連結されている撮像装置４があった（例えば、特許文献１参照）。この撮像装置４は、第１筐体１が表示部６、シャッター８及びストロボ１０を有し、第２筐体２が撮像部１２を有する構造になっているので、第１筐体１及び第２筐体２のそれぞれの内部の電子回路基板がコンパクト化されて、全体としての大きさもコンパクトになっていた。
【０００３】
この撮像装置４の撮像部１２は、その撮像方向が第２筐体２の厚さ方向を向く構造になっているので、この撮像部１２の撮像方向の長さ寸法（図６中、寸法Ｌ）は、第２筐体２の厚さにより制限されていた。
【０００４】
また、図示しないが、上記のような撮像装置４とは別に、撮像部を備える撮像機能付き携帯電話機があった。このような撮像機能付き携帯電話機の中には、上記の撮像装置４と同様に、折り畳み構造を有して２つの筐体を備えると共に、撮像部がいずれかの筐体に設けられて、その撮像方向が筐体の厚さ方向を向くようになっているものがあった。このような撮像機能付き折り畳み型携帯電話機は、上記の撮像装置４と同様に、撮像部の撮像方向の長さ寸法が、筐体の厚さにより制限されていた。
【０００５】
また、撮像機能付き折り畳み型携帯電話機として、撮像部の撮像方向が筐体の厚さ方向を向いている構造でも、撮像部の撮像素子と撮像レンズのそれぞれを異なる筐体に配置することにより、撮像部の撮像方向の長さ寸法を、実質的に筐体の厚さよりも長くした構造のものがあった。
【０００６】
すなわち、図７に示すように、このような構造の撮像機能付き折り畳み型携帯電話機１４は、その撮像部１６が撮像素子１６ａ、第１の撮像レンズ１６ｂ及び第２の撮像レンズ１６ｃを備えていて、第１筐体２４と第２筐体２６を折り畳んだときに、第２筐体２６の内部に配置される撮像素子１６ａの光軸が、第１筐体２４の内部に配置される第１の撮像レンズ１６ｂを通過するようになっているので、実質的に、撮像部１６の撮像方向の長さ寸法が第２筐体２６の厚さよりも長くなっていた。
【０００７】
また、この撮像機能付き折り畳み型携帯電話機１４は、第１筐体２４を開く動作に連動して撮像素子１６ａが移動するようになっていて、撮像素子１６ａの光軸が第１の撮像レンズ１６ｂを外れて、第２筐体２６内の第２の撮像レンズ１６ｃを通過するようになっていた。したがって、光軸が第２の撮像レンズ１６ｃを通過する場合について着目すると、やはり撮像部１６の撮像方向の長さ寸法は、第２筐体２６の厚さに制限されてしまう。
【０００８】
一方、上記の撮像機能付き折り畳み型携帯電話機１４と同様に、２つの筐体を備える携帯電話機として、図８に示すような撮像機能付き重ね型携帯電話機３０があった。この撮像機能付き重ね型携帯電話機３０は、第１筐体３２が表示部３４を有し、第２筐体３６が主操作部３８を有している。第１筐体３２と第２筐体３６は、この第２筐体３６の主操作部３８が配置されている主操作面４０に垂直な軸線を有する連結部４２により、互いの長さ方向の端部３２ａ，３６ａが回動可能に連結されている。
【０００９】
この撮像機能付き重ね型携帯電話機３０は、第１筐体３２が回動するので、図示しないが、主操作部３８を覆うように第１筐体３２を第２筐体３６上に重ねた閉状態にすることができる。また、図８に示されているように、閉状態から第１筐体３２が第２筐体３６に対しておよそ１８０°回動した開状態にすることができるようになっている。そして、この撮像機能付き重ね型携帯電話機３０は、閉状態と開状態のいずれの状態でも、表示部３４の表示面３４ａが外側に露出するようになっている。
【００１０】
また、撮像機能付き重ね型携帯電話機３０の撮像部４４は、第２筐体３６に備えられているが、第２筐体３６の内部には、その長さ方向の中央に図示しない電子回路基板が配置されるため、撮像部４４は端部３６ａ寄りに配置される。
【００１１】
そして、閉状態と開状態のいずれの状態でも撮影することができるようにするため、撮像部４４の撮像レンズ４４ａは、第２筐体３６における主操作面３８と反対側の背面４６に露出するようになっていて、撮像方向が第２筐体３６の厚さ方向を向くようになっていた。
【特許文献１】特開平１１−１２７３７０号公報
【発明の開示】
【発明が解決しようとする課題】
【００１２】
しかしながら、上記の撮像機能付き重ね型携帯電話機３０では、上記の撮像装置４と同様に、撮像部４４の撮像方向の長さ寸法（図８中、寸法Ｌ）が、第２筐体３６の厚さに制限されてしまう。そのため、撮像部４４に代えて、ズーム機能を有するような他の撮像部を備えようとしても、このような他の撮像部はその撮像方向の長さ寸法が長いために、第２筐体３６内に収納することができないという問題があった。
【００１３】
そこで本発明は、上記問題点に鑑みて、筐体内に配置される撮像部の撮像方向が筐体の厚さ方向を向くような構造でも、この撮像部の撮像方向の長さ寸法が筐体の厚さに制限されないようにすることができる撮像機能付き重ね型携帯端末装置を提供することを課題とするものである。
【課題を解決するための手段】
【００１４】
上記課題を解決するために本発明は、
表示部を有する第１筐体と、主操作部と撮像部を有する第２筐体と、第２筐体の主操作部が配置される主操作面に垂直な軸線を有して第１筐体と第２筐体の互いの長さ方向の端部を回動可能に連結する連結部とを備え、
前記撮像部が、その撮像方向を前記連結部の軸線方向と略平行となるように、前記第２筐体の内部であって連結部の近傍に配置される撮像機能付き重ね型携帯端末装置であって、
前記主操作面における前記撮像部を略中心とする所定の範囲に前記第２筐体の内部と一体的な空間を有して突出する収納部が形成されて、
前記第１筐体に前記収納部に対応する切欠き部が形成されていることを特徴とするものである。
【００１５】
また、本発明による撮像機能付き重ね型携帯端末装置は、
前記収納部が前記連結部と前記第２筐体の幅方向に並んで配置され、
前記連結部が第２筐体の幅方向の中央の位置よりも前記収納部と離れる方向にずらして配置されるようにすることができる。
【００１６】
また、本発明による撮像機能付き重ね型携帯端末装置は、前記撮像部におけるその撮像方向の長さが、前記第２筐体の厚さよりも長くて、前記収納部の主操作面からの突出高さと前記第２筐体の厚さの合計の長さよりも短くなるようにすることができる。
【００１７】
また、本発明による撮像機能付き重ね型携帯端末装置は、前記収納部が、前記第１筐体の前記表示面の高さまで突出するようにすることができる。
【００１８】
また、本発明による撮像機能付き重ね型携帯端末装置は、前記収納部が側面を有して、この側面に前記撮像部を操作するための副操作部を配置することができる。
【００１９】
また、本発明による撮像機能付き重ね型携帯端末装置は、第２筐体におけるその長さ方向に平行であって主操作面と互いに隣り合う側面に前記撮像部を操作するための副操作部を配置することができる。
【００２０】
また、本発明は、
表示部を有する第１筐体と、主操作部を有する第２筐体と、第２筐体の主操作部が配置される主操作面に垂直な軸線を有して第１筐体と第２筐体の互いの長さ方向の端部を回動可能に連結する連結部とを備える撮像機能付き重ね型携帯端末装置であって、
閉状態のときにおける前記連結部の軸線方向の外形寸法が、前記第１筐体の厚さ、前記第２筐体の厚さ、及びこの第１筐体と第２筐体の間のすきまの長さの合計とほぼ同じ大きさで形成されて、連結部に対して第２筐体の幅方向に並んで配置される第３筐体を備えると共に、
前記第１筐体及び前記第２筐体のそれぞれに前記第３筐体に対応する形状の切欠き部が形成されて、
前記第３筐体が、前記第２筐体の切欠き部からこの第２筐体の幅方向に突出して、前記第１筐体と第２筐体の互いの回動動作に連動しておよそ１８０°回動する回動軸に固定されると共に、撮像方向がこの回動軸と直角の撮像部を有していることを特徴とするものである。
【発明の効果】
【００２１】
このような本発明の撮像機能付き重ね型携帯端末装置によれば、筐体内に配置される撮像部の撮像方向が筐体の厚さ方向を向くような構造でも、この撮像部の撮像方向の長さ寸法が筐体の厚さに制限されないようにすることができる。
【発明を実施するための最良の形態】
【００２２】
以下、本発明に係る撮像機能付き重ね型携帯端末装置の実施の形態について、図面に基づいて具体的に説明する。
【００２３】
図１ないし図３は、本発明の第１の実施の形態に係る撮像機能付き重ね型携帯電話機６０（撮像機能付き重ね型携帯端末装置に相当）について説明するために参照する図である。これらの図に示す撮像機能付き重ね型携帯電話機６０は、従来の撮像機能付き重ね型携帯電話機３０と同様の部分には同じ符号を付して説明し、従来と同様の構成についての重複する説明は省略するものとする。
【００２４】
図１に示すように、撮像機能付き重ね型携帯電話機６０の撮像部６２は、従来の撮像機能付き重ね型携帯電話機３０と同様に、第２筐体３６の長さ方向における端部３６ａ寄りに備えられているが、表示部３４の表示方向と同じ方向を撮影するような向きに配置されている。
【００２５】
第２筐体３６の主操作面４０には、この撮像部６２に対応して、撮像部６２を中心とする近傍の範囲に、撮像方向に突出する収納部６４が、第２筐体３６と一体的に形成されている。また、この収納部６４は、主操作面４０と平行な突出面６４ａを有すると共に、この突出面６４ａと互いに隣り合う側面６４ｂが、第２筐体３６における主操作面４０と互いに隣り合う側面６６と同一面になるように形成されている。
【００２６】
また、この撮像機能付き重ね型携帯電話機６０は、第１筐体３２の表示面３４ａが下側を向く姿勢で、水平面に載置するような場合でも、安定した姿勢を維持させておくことができるように、突出面６４ａの突出高さが、主操作面４０から第１筐体３２の表示面３４ａまでの高さと同じ高さになっている。
【００２７】
また、第１筐体３２には、この収納部６４に対応する切欠き部６８が形成されているので、この第１筐体３２を時計回りに回動させて、図２に示すような閉状態にすることができる。
【００２８】
図３に示すように、撮像部６２は、その撮像方向が連結部４２の軸線方向と略平行になっている。また、撮像部６２は、ＣＣＤ（Ｃｈａｒｇｅ  Ｃｏｕｐｌｅｄ  Ｄｅｖｉｃｅ）等の撮像素子６２ａ及び撮像レンズ６２ｂがズーム撮像系として構成されているために、撮像方向の長さ寸法（図３中、寸法Ｌ）が、第２筐体３６の厚さ（図３中、寸法Ｔ）よりも長くなっている。
【００２９】
これに対して、収納部６４は、第２筐体３６と一体的に形成されていており、この収納部６４の突出高さ（図３中、寸法Ｈ）と第２筐体３６の厚さ（図３中、寸法Ｔ）を合計した長さは、撮像部６２についての撮像方向の長さ寸法（図３中、寸法Ｌ）よりも長いので、撮像部６２を収納することができるようになっている。
【００３０】
また、図１に示すように、収納部６４は、第２筐体３６の長さ方向の端部３６ａに形成されているため、この収納部６４と連結部４２は、互いの近傍で第２筐体３６の幅方向に並んで配置されることになる。そのため、連結部４２は、第２筐体３６の幅方向の中央の位置よりも収納部６４と離れる方向にずらして配置されるようになっている。
【００３１】
また、撮像機能付き重ね型携帯電話機３０は、開状態又は閉状態のいずれの状態であっても撮影することができるように、収納部６４の側面６４ｂに、撮像部６２に撮影動作を行なわせるシャッター７０（副操作部に相当）を備えている。
【００３２】
このように、本実施の形態に係る撮像機能付き重ね型携帯電話機３０によれば、第２筐体３６内に配置される撮像部６２の撮像方向が第２筐体３６の厚さ方向を向くような構造でも、この撮像部６２についての撮像方向の長さ寸法が第２筐体３６の厚さに制限されないようにすることができる。
【００３３】
次に、図４及び図５に基づいて、本発明の第２の実施の形態に係る撮像機能付き重ね型携帯電話機８０（撮像機能付き重ね型携帯端末装置に相当）について説明する。図４及び図５に示す撮像機能付き重ね型携帯電話機８０は、前記第１の実施の形態に係る撮像機能付き重ね型携帯電話機６０と同様の部分には同じ符号を付して説明し、同様の構成についての重複する説明は省略するものとする。
【００３４】
図４に示すように、本実施の形態に係る撮像機能付き重ね型携帯電話機８０は、第３筐体８２を備えている。この第３筐体８２は、連結部４２と第２筐体３６の幅方向に並んで配置されていて、第１筐体３２及び第２筐体３６のそれぞれには、この第３筐体８２に対応する形状の切欠き部６８，８４が形成されている。そして、撮像部６２及びシャッター７０は、第３筐体８２に備えられている。
【００３５】
図５に示すように、第３筐体８２は、切欠き部８４から第２筐体３６の幅方向と平行に突出する回動自在の回動軸８６に固定して連結されている。また、この回動軸８６は、第３筐体８２と反対側の先端部に形成されたかさ歯車８８が、軸形状の連結部４２と一体的に形成されるかさ歯車９０と噛合っている。
【００３６】
したがって、第１筐体３２が第２筐体３６に対して回動すると、連結部４２及びかさ歯車９０は第１筐体３２と一緒に回動するので、かさ歯車８８、回動軸８６及び第３筐体８２は、第１筐体３２の回動動作に連動して回動するようになっている。
【００３７】
図４に示すように、第３筐体８２の撮像部６２の撮像方向は、閉状態のときに表示部３４の表示方向とほぼ同じ方向を向くようになっており、図示しないが、第１筐体３２を反時計回りに回動させて開状態にすると、撮像部６２の撮像方向は、矢印Ｂの向きに略１８０°回動して、表示部３４の表示方向とほぼ反対の方向を向くようになっている。
【００３８】
また、図５に示すように、第３筐体８２は、閉状態のときにおける連結部４２の軸線方向の外形寸法（図５中、寸法Ｄ）が、第１筐体３２の厚さ、第２筐体３６の厚さ、及びこの第１筐体３２と第２筐体３６の間のすきまの長さの合計とほぼ同じ大きさで形成されている。
【００３９】
そして、第３筐体８２は、第１筐体３２及び第２筐体３６よりも、これらの厚さ方向に突出しないようになっているので、この撮像機能付き重ね型携帯電話機８０は水平面に載置するときに、第１筐体３２又は第２筐体３６のいずれを下側にしても、安定した姿勢を維持するようになっている。
【００４０】
このように、本実施の形態に係る撮像機能付き重ね型携帯電話機８０によれば、撮像部６２を第３筐体８２に備えるようにしたので、この撮像部６２の撮像方向の長さ寸法が、第１筐体３２及び第２筐体３６のそれぞれの厚さに制限されないようにすることができる。
【００４１】
また、第１筐体３２の回動動作に連動して、撮像方向を調節することができるようになっているので、操作性を向上させることができる。
【００４２】
なお、前記第１の実施の形態においては、収納部６４は、主操作面４０と平行な突出面６４ａ及び側面６４ｂを有するような形状に形成されているが、このような形状に限定されるものではない。例えば、主操作面４０から半球形状に突出したような形状であってもよい。
【００４３】
また、前記第１の実施の形態においては、撮像機能付き重ね型携帯電話機６０が、開状態又は閉状態のいずれの状態であっても撮影することができるように、シャッター７０は収納部６４の側面６４ｂに配置されていたが、第２筐体３６の側面６６に配置するようにしてもよい。
【００４４】
また、前記第２の実施の形態においては、第１筐体３２の回動動作に連動して第３筐体８２が回動するように、歯車８８及び歯車９０を用いる構造になっていたが、フェースギヤやハイポイドギヤを用いるようにしてもよい。
【００４５】
また、前記第２の実施の形態において、シャッター７０は第３筐体８２に配置されていたが、第２筐体３６の側面６６に配置するようにしてもよい。
【００４６】
また、前記第１及び第２の実施の形態においては、撮像機能付き重ね型携帯電話機６０，８０に本発明を適用した場合について説明したが、ＰＤＡ（Ｐｅｒｓｏｎａｌ  Ｄｉｇｉｔａｌ  Ａｓｓｉｓｔａｎｔ）等のような他の撮像機能付き重ね型携帯端末装置にも本発明を適用することができることはいうまでもない。
【図面の簡単な説明】
【００４７】
【図１】本発明の第１の実施の形態に係る撮像機能付き重ね型携帯電話機６０の開状態を示す斜視図である。
【図２】本発明の第１の実施の形態に係る撮像機能付き重ね型携帯電話機６０の閉状態を示す斜視図である。
【図３】図２に示す撮像機能付き重ね型携帯電話機６０のＡ−Ａ矢視断面図である。
【図４】本発明の第２の実施の形態に係る撮像機能付き重ね型携帯電話機８０の閉状態を示す斜視図である。
【図５】図２に示す撮像機能付き重ね型携帯電話機８０のＣ−Ｃ矢視断面図である。
【図６】従来の撮像装置４を示す斜視図である。
【図７】従来の撮像機能付き折り畳み型携帯電話機１４の側面断面図である。
【図８】従来の撮像機能付き重ね型携帯電話機３０の斜視図である。
【符号の説明】
【００４８】
１  第１筐体
２  第２筐体
４  撮像装置
６  表示部
８  シャッター
１０  ストロボ
１２  撮像部
１４  撮像機能付き折り畳み型携帯電話機
１６  撮像部
１６ａ  撮像素子
１６ｂ  第１の撮像レンズ
１６ｃ  第２の撮像レンズ
２４  第１筐体
２６  第２筐体
３０  撮像機能付き重ね型携帯電話機
３２  第１筐体
３２ａ  端部
３４  表示部
３４ａ  表示面
３６  第２筐体
３６ａ  端部
３８  主操作部
４０  主操作面
４２  連結部
４４  撮像部
４４ａ  撮像レンズ
４６  背面
６０  撮像機能付き重ね型携帯電話機
６２  撮像部
６２ａ  撮像素子
６２ｂ  撮像レンズ
６４  収納部
６４ａ  突出面
６４ｂ  側面
６６  側面
６８  切欠き部
７０  シャッター
８０  撮像機能付き重ね型携帯電話機
８２  第３筐体
８４  切欠き部
８６  回動軸
８８，９０  かさ歯車
【図１】
2005159723.tif 000003
【図２】
2005159723.tif 000004
【図３】
2005159723.tif 000005
【図４】
2005159723.tif 000006
【図５】
2005159723.tif 000007
【図６】
2005159723.tif 000008
【図７】
2005159723.tif 000009
【図８】
2005159723.tif 000010